(57)【要約】【課題】比較的小さな陳列容積であっても種々の陳列面を演出することができると共に、商品の陳列安定性に優れる商品陳列台を提供すること。【解決手段】設置面に置かれる略板状物であって、前後方向に所定のピッチで横溝を上面に複数形成したベース陳列板と、前面が前方下り傾斜の凹面形状の陳列面を有し、前方部裏面から下方に延びる前方係合片を有し、後方陳列面を構成する補助陳列台とを備え、該補助陳列台の前方係合片を、該ベース陳列板の複数の横溝のいずれかに係合させ、該ベース陳列面の上面と該補助陳列台の凹面形状の陳列面で、商品陳列台の陳列面を形成する商品陳列台。【選択図】図７
0003120901.tif 000002
【実用新案登録請求の範囲】
【請求項１】
設置面に置かれる略板状物であって、前後方向に所定のピッチで横溝を上面に複数形成したベース陳列板と、
前面が前方下り傾斜の陳列面を有し、前方部裏面から下方に延びる前方係合片を有し、後方陳列面を構成する補助陳列台とを備え、
該補助陳列台の前方係合片を、該ベース陳列板の複数の横溝のいずれかに係合させ、該ベース陳列面の上面と該補助陳列台の凹面形状の陳列面で、商品陳列台の陳列面を形成することを特徴とする商品陳列台。
【請求項２】
前記前方下り傾斜の陳列面が、凹面形状であることを特徴とする請求項１記載の商品陳列台。
【請求項３】
前記補助陳列台の陳列面には、左右方向に所定のピッチで複数の縦溝を形成したことを特徴とする請求項１又は２記載の商品陳列台。
【請求項４】
前記補助陳列台は、陳列面が凹面形状の前方板と、該前方板と上部で連続する設置面からは起立姿勢をとる後方板と、左右両側のリブ部材からなる枠体構造であることを特徴とする請求項１〜３のいずれか１項記載の商品陳列台。
【請求項５】
前記補助陳列台の後方板の下端には、下方に延びる後方係合片を、更に有することを特徴とする請求項４記載の商品陳列台。
【請求項６】
前記ベース陳列板の前方端に、所定高さの商品転落防止板を更に設けたことを特徴とする請求項１〜５のいずれか１項記載の商品陳列台。
【請求項７】
前記補助陳列台の縦溝に係合して陳列商品を左右方向に区画する商品仕切り板を、更に設けたことを特徴とする請求項３〜６のいずれか１項記載の商品陳列台。
【請求項８】
前記商品仕切り板は、ケース状の主仕切り板と、該主仕切り板に出し入れ自在に嵌る副仕切り板を有し、前後方向に伸長可能であることを特徴とする請求項７記載の商品陳列台。
【請求項９】
前記ベース陳列板の前方部及び後方部に、左右方向に所定のピッチで複数の係合溝を形成したことを特徴とする請求項１〜８のいずれか１項記載の商品陳列台。
【請求項１０】
前記補助陳列台は、前記ベース陳列板の後方側に位置させ、該補助陳列台の前方係合片を該ベース陳列板の横溝に係合させ、該補助陳列台の後方係合片を該ベース陳列板の後方外側の設置面に載置させることを特徴とする請求項５〜９のいずれか１項記載の商品陳列台。
【請求項１１】
前記補助陳列台は、前記ベース陳列板上に配置させ、該補助陳列台の前方係合片及び後方係合片を該ベース陳列板のそれぞれ異なる横溝に係合させることを特徴とする請求項５〜９のいずれか１項記載の商品陳列台。
【考案の詳細な説明】
【技術分野】
【０００１】
本考案は、スーパーや百貨店などで使用されるものであって、種々の陳列面を演出すると共に、商品の陳列安定性を高めた商品陳列台に関するものである。
【背景技術】
【０００２】
近年、スーパー、百貨店、専門店、コンビニエンスストアー等の店内で例えば青果物などの陳列に使用される商品陳列台として、商品を載置する１以上の斜面を一方向に隣接して設け、この一方向一端に商品落下防止部を有し且つ他端に平面を有して表陳列面を構成し、該表陳列面の裏側に仕切り板の嵌合溝を少なくとも１以上設けて裏陳列面を構成してなり、前記陳列ケース内に高さ可変の設置台を配設し、該設置台に商品陳列棚の前記表陳列面及び裏陳列面のいずれか一方を置き、いずれか他方に商品を陳列する陳列棚が知られている（特開２００１−１９７９８４号公報）。この商品陳列棚は、少ない部品で、商品の多様化、頻繁に起こる模様替えに十分に対応出来、模様替えの度に不用となったり、新たに購入する必要性を少なくし、かつ保管のためのスペースを減らすことができる効果があり、極めて有用な陳列棚である。
【考案の開示】
【考案が解決しようとする課題】
【０００３】
しかしながら、このような階段状陳列面を有する商品陳列台は、どうしても前後方向に長くなるため、強度的に強いものとは言えず、不安定な陳列状態となり易い。強度を高めるため使用部材を厚くすると、重くなり作業性が悪くなる。また、商品仕切り板などの組み立て部材の組み付けが不安定になり易いという問題がある。従って、比較的小さな陳列面で種々の陳列面を演出することができると共に、商品の陳列安定性に優れる商品陳列台の提供が望まれていた。
【０００４】
従って、本考案の目的は、比較的小さな陳列容積であっても種々の陳列面を演出することができると共に、商品の陳列安定性に優れる商品陳列台を提供することにある。
【課題を解決するための手段】
【０００５】
かかる実情において、本考案者は、鋭意検討を行った結果、設置面に置かれる略板状物であって、前後方向に所定のピッチで横溝を上面に複数形成したベース陳列板と、前面が前方下り傾斜の凹面形状の陳列面を有し、前方部裏面から下方に延びる前方係合片を有し、後方陳列面を構成する補助陳列台とを備え、該補助陳列台の前方係合片を、該ベース陳列板の複数の横溝のいずれかに係合させ、該ベース陳列面の上面と該補助陳列台の凹面形状の陳列面で、商品陳列台の陳列面を形成する商品陳列台であれば、補助陳列台の前方係合片とベース陳列板の横溝の係合位置を種々変えることにより、奥行き寸法を調整でき、比較的小さな陳列容積であっても種々の陳列面を演出することができ、また、商品を左右方向に区画する商品仕切り板を設ければ、更に商品の陳列安定性に優れることなどを見出し、本考案を完成するに至った。
【０００６】
すなわち、本考案は、設置面に置かれる略板状物であって、前後方向に所定のピッチで横溝を上面に複数形成したベース陳列板と、前面が前方下り傾斜の凹面形状の陳列面を有し、前方部裏面から下方に延びる前方係合片を有し、後方陳列面を構成する補助陳列台とを備え、該補助陳列台の前方係合片を、該ベース陳列板の複数の横溝のいずれかに係合させ、該ベース陳列面の上面と該補助陳列台の凹面形状の陳列面で、商品陳列台の陳列面を形成することを特徴とする商品陳列台を提供するものである。
【０００７】
また、本考案は、前記前方下り傾斜の陳列面が、凹面形状である商品陳列台を提供し、また、本考案は、前記補助陳列台の凹面形状の陳列面には、左右方向に所定のピッチで複数の縦溝を形成した前記商品陳列台を提供し、また、前記補助陳列台は、陳列面が凹面形状の前方板と、該前方板と上部で連続する設置面からは起立姿勢をとる後方板と、左右両側のリブ部材からなる枠体構造であることを特徴とする前記商品陳列台を提供し、また、本考案は、前記補助陳列台の後方板の下端には、下方に延びる後方係合片を、更に有する前記商品陳列台を提供し、また、本考案は、前記ベース陳列板の前方端に、所定高さの商品転落防止板を更に設けた前記商品陳列台を提供し、また、本考案は、前記補助陳列台の縦溝に係合して陳列商品を左右方向に区画する商品仕切り板を、更に設けたことを特徴とする前記商品陳列台を提供し、また、本考案は、前記商品仕切り板は、ケース状の主仕切り板と、該主仕切り板に出し入れ自在に嵌る副仕切り板を有し、前後方向に伸長可能であることを特徴とする前記商品陳列台を提供し、また、本考案は、前記ベース陳列板の前方部及び後方部に、左右方向に所定のピッチで複数の係合溝を形成したことを特徴とする前記商品陳列台を提供し、また、本考案は、前記補助陳列台は、前記ベース陳列板の後方側に位置させ、該補助陳列台の前方係合片を該ベース陳列板の横溝に係合させ、該補助陳列台の後方係合片を該ベース陳列板の後方外側の設置面に載置させることを特徴とする前記商品陳列台を提供し、また、本考案は、前記補助陳列台は、前記ベース陳列板上に配置させ、該補助陳列台の前方係合片及び後方係合片を該ベース陳列板のそれぞれ異なる横溝に係合させることを特徴とする前記商品陳列台を提供するものである。
【考案の効果】
【０００８】
本考案の商品陳列台によれば、補助陳列台の前方係合片とベース陳列板の横溝の係合位置を種々変えることにより、奥行き寸法を調整でき、比較的小さな陳列容積であっても種々の容積を有する陳列面を演出することができる。また、ベース陳列板の前方に、商品転落防止板の設置がないか、または設置があったとしてもベース陳列板を前後方向に反転して使用すれば、前方障害が無い設置面を利用した広い陳列面として使用することができる。また、商品を左右方向に区画する商品仕切り板を設ければ、いわゆる箱型形状となり、これにじゃが芋などのばらものを無造作に置くことができ、作業性が向上する。更に全体をコンパクトにできるため、商品陳列台を構成する部材間の係合強度が高まるため、商品の陳列安定性が向上する。
【考案を実施するための最良の形態】
【０００９】
次に、本考案の第１の実施の形態における商品陳列台を図１〜図５を参照して説明する。図１は本例の商品陳列台の斜視図、図２は図１の商品陳列台で使用する補助陳列台の斜視図、図３は図２の補助陳列台を裏側から見た斜視図、図４は図１の商品陳列台で使用するベース陳列板の斜視図、図５は図４のベース陳列板を後方側から見た斜視図をそれぞれ示す。なお、本明細書において、「前」は顧客側を、「後」はその反対方向を言う。また、左右は前から見た方向を言う。
【００１０】
商品陳列台１０ａは、ベース陳列板１と補助陳列台２を組み付けたものである。ベース陳列板１は、図４及び図５に示すように、設置面Ｇに置かれる略板状物であって、前後方向に所定のピッチで横溝１２を複数（本例では６つ）形成し、前方部に所定の高さの壁状の商品転落防止板１３を形成し、前方部及び後方部にそれぞれ、左右方向に所定のピッチで係合溝１４ａ、１４ｂを形成したものである。
【００１１】
横溝１２は、ベース陳列板の上面に左右方向に連続するものであり、溝内において、ベース陳列板を上下方向に貫通する貫通溝１２２と底面を有する非貫通溝１２１が繰り返す構造となっている。これにより、補助陳列台の例えば前方係合片２１１が貫通溝１２２に嵌ることにより、貫通溝１２２の両側の非貫通溝１２１が横方向への移動を規制する部材として作用するため、ベース陳列板１と補助陳列台２の係合状態が強固で且つ安定する。貫通溝１２２と非貫通溝１２１の長さ及びピッチは適宜決定される。また、横溝１２間の前後方向におけるピッチとしては、特に制限されず、適宜決定される。このピッチが大きいと、きめ細かい種々の陳列形態を演出することができず、一方、このピッチが小さいと、きめ細かい種々の陳列形態を演出することができる反面、視覚で認識し難いような僅かな変化を演出することになり無意味となる。このピッチは概ね５〜１０ｃｍが好適である。
【００１２】
商品転落防止板１３は、任意の構成要素であるが、本例のように設置することにより、商品の陳列を安定したものとすることができる。商品転落防止板１３は本例のように起立状態の他、やや後方傾斜するものであってもよい。また、本例のように一体形成されている必要はなく、横溝に着脱自在に係合するものであってもよい。
【００１３】
前方部及び後方部にそれぞれ、左右方向に所定のピッチで形成される係合溝１４ａ、１４ｂは、任意の構成要素であるが、本例の如く形成することが、後述する商品仕切り板の設置安定性が向上する点で好適である。なお、係合溝１４ａは図１に示すような前方に商品転落防止板１３を有する設置形態における商品仕切り板の係合片が嵌る係合溝となり、係合溝１４ｂはベース陳列板１を前後方向に反転した状態の設置形態における商品仕切り板の係合片が嵌る係合溝となるものである。これらの係合溝１４ａ、１４ｂは前後端部が規制された非連続溝であり、上下方向に貫通する溝あるいは非貫通の溝のいずれであってもよい。
【００１４】
補助陳列台２は、前面が前方下り傾斜の凹面形状の陳列面２１を有するものであり、凹面形状の前方板２１ａと、前方板２１ａと上部で連続する設置面Ｇからは起立姿勢をとる後方板２２と、リブ部材となる左右両側板２５からなる枠体構造である。これにより、強度を有しつつ軽量化を図っている。また、補助陳列台２の前面を凹面形状とすることにより、陳列する商品が顧客から見易いものとなり、また趣きのある陳列面を形成することができる。
【００１５】
補助陳列台２の凹面形状の陳列面２１には、左右方向に所定のピッチで複数の縦溝２４が形成されている。これにより、陳列商品を左右に区画する商品仕切り板を適宜の枚数付設することができ、よりきめ細かな陳列を演出できる。なお、縦溝２４は陳列面２１を貫通する溝であり、商品仕切り板の係合を確実なものとすることができる。縦溝２４間のピッチについては適宜決定することができる。また、補助陳列台２は、前方板２１ａの前端の裏面から下方に延びる前方係合片２１１を有する。前方係合片２１１は、ベース陳列板１の横溝１２の貫通溝１２２に嵌合するものであり、前方係合片２１１の横方向の長さは貫通溝１２２の長さと同じである。これにより、ベース陳列板１と補助陳列台２の係合状態が強度で且つ安定する。
【００１６】
補助陳列台２は、また、後方板２２の下端の裏面から下方に延びる後方係合片２２１を有する。後方係合片２２１は、ベース陳列板１の外側の設置面Ｇに置かれるものであるか、あるいはベース陳列板１の横溝１２の貫通溝１２２に嵌合するものであり、後方係合片２２１の横方向の長さは貫通溝１２２の長さと同じである。これにより、ベース陳列板１と補助陳列台２の係合状態が強度で且つ安定する。補助陳列台２において、枠体の裏側には前後方向のほぼ中央に横方向に延びる板状の中間部材２３を有し、その先端には中間係合片２３１を有している。中間係合片２３１は、ベース陳列板１の外側の設置面Ｇに置かれるものであるか、あるいはベース陳列板１の横溝１２の貫通溝１２２に嵌合するものであり、中間係合片２３１の横方向の長さは貫通溝１２２の長さと同じである。これにより、ベース陳列板１と補助陳列台２の係合状態が強度で且つ安定する。
【００１７】
商品陳列台１０ａは、ベース陳列板１の横溝１２に、補助陳列台２の前方係合片２１１を係合させて組み付ける方法、ベース陳列板１の２つの横溝１２に、補助陳列台２の前方係合片２１１と中間係合片２２１をそれぞれ係合させて組み付ける方法、あるいはベース陳列板１の３つの横溝１２に、補助陳列台２の前方係合片２１１と中間係合片２３１と後方係合片２２１をそれぞれ係合させて組み付ける方法により種々の陳列形態をとることができる。図１の商品陳列台１０ａは、ベース陳列板１の横溝１２の中、後ろから３番目の横溝１２ｃに、補助陳列台２の前方係合片２１１を係合させ、後ろから２番目の横溝１２ｂに、補助陳列台２の中間係合片２３１を係合させ、最後尾の横溝１２ａに、補助陳列台２の後方係合片２２１を係合させたものである。これにより、ベース陳列板１の天面と補助陳列台２の凹面形状で比較的大きな容積を有する陳列面を形成することができる。
【００１８】
商品陳列台１０ａにおいて、ベース陳列板１に対して、補助陳列台２を前方位置にある横溝１２に係合させれば、ベース陳列板１の天面と補助陳列台２の凹面形状でより小さな容積を有する陳列面を形成することができる。一方、商品陳列台１０ａにおいて、ベース陳列板１に対して、補助陳列台２を後方位置、例えば補助陳列台２の前方係合片２１１を最後尾の横溝１２ａに係合させれば、ベース陳列板１の天面と補助陳列台２の凹面形状でより大きな容積を有する陳列面を形成することができる。
【００１９】
次に、本考案の第２の実施の形態における商品陳列台を図６を参照して説明する。図６は本例の商品陳列台の斜視図を示す。図６において、図１と同一構成要素には同一符号を付して、その説明を省略し、異なる点について主に説明する。すなわち、図６の商品陳列台１０ｂにおいて、図１の商品陳列台１０ａと異なる点は、ベース陳列板１を前後方向に反転して使用した点、及びベース陳列板１の横溝１２の中、前から２番目（図６中、後から２番目）の横溝１２ｅに、補助陳列台２の前方係合片２１１を係合させ、最前列（図６中、最前列）の横溝１２ｆに、補助陳列台２の中間係合片２３１を係合させたものである。これにより、商品陳列台１０ｂは、前方に商品転落防止板１３がないため、設置面Ｇを含めた広い陳列面を利用する陳列形態をとることができる。
【００２０】
次に、本考案の第３の実施の形態における商品陳列台を図７〜図１０を参照して説明する。図７は本例の商品陳列台の斜視図、図８は図７の商品陳列台で使用する商品仕切り板の斜視図、図９は図８の商品仕切り板を下側から見た斜視図、図１０は図８の商品仕切り板の副仕切り板を引き出した状態図を示す。図７〜１０において、図１〜図５と同一構成要素には同一符号を付して、その説明を省略し、異なる点について主に説明する。すなわち、図７の商品陳列台１０ｃにおいて、図１の商品陳列台１０ａと異なる点は、左右両側端部に一対の商品仕切り板３を設けた点にある。商品仕切り板３は図８〜図１０に示すように、ケース状、すなわち、扁平の箱状物の後方部が開口した主仕切り板３１と、主仕切り板３１の開口から出し入れ自在に嵌る副仕切り板３２を有し、前後方向に伸長可能である。主仕切り板３１は前方上部の角が切りかかれ、前方端の高さを商品転落防止板１３の高さに合わせると共に、陳列商品の仕切り機能と商品の出し入れの容易性の両立を達成している。主仕切り板３１の後方は、補助陳列台２の凹面形状に合せた凸形状として、補助陳列台２と商品仕切り板３との間に隙間が生じないようにしている。また、主仕切り板３１の下端面には、前後方向にベース陳列板１の横溝１２のピッチと同じピッチで係合片３３ａ〜３３ｃが形成され、前方部には係合突起３４を有している。
【００２１】
副仕切り板３２は、主仕切り板３１に完全収納された状態（縮小状態）において突出する部分が薄肉板状物３２１であり、副仕切り板３２の収納部分には、やや幅厚の収納部形状を囲む形状のリブ部３２３と、薄肉板状本体部の上下２本の前後方向に延びるリブ部３２２が形成されている。これにより、副仕切り板３２は、強度を維持しつつ、主仕切り板３１に円滑に抜き差しできる。図７の商品陳列台１０ｃにおいて、商品仕切り板３を設置するには、縮小状態の商品仕切り板３の副仕切り板３２を、補助陳列台２の縦溝２４に係合させ、商品仕切り板３の係合片３３ａ、３３ｂ、３３ｃ及び係合突起３４をそれぞれベース陳列板１の横溝１２ｆ、１２ｅ、１２ｄ及び係合溝１４ａに係合させればよい。商品仕切り板３の副仕切り板３２は、補助陳列台２の縦溝２４を深く貫通すると共に、中間位置及び前方位置の複数位置で係合溝と係合するため、商品仕切り板３の設置安定性が極めて高い。
【００２２】
図７の商品陳列台１０ｃによれば、いわゆる箱型形状となり、これにじゃが芋などのばらものを無造作に置くことができ、作業性が向上する。更に全体をコンパクトにできるため、商品陳列台を構成する部材間の係合強度が高まるため、商品の陳列安定性が向上する。
【００２３】
次に、本考案の第４の実施の形態における商品陳列台を図１１を参照して説明する。図１１は本例の商品陳列台の斜視図を示す。図１１の商品陳列台１０ｅにおいて、図７の商品陳列台１０ｃと同一構成要素には同一符号を付して、その説明を省略し、異なる点について主に説明する。すなわち、商品陳列台１０ｅにおいて、商品陳列台１０ｃと異なる点は、陳列面容積を最大にした状態において商品仕切り板を設置したものである。すなわち、図１１の商品陳列台１０ｅにおいて、伸長状態の商品仕切り板３の副仕切り板３２を、補助陳列台２の縦溝２４に係合させ、商品仕切り板３の係合片３３ａ、３３ｂ、３３ｃ及び係合突起３４をそれぞれベース陳列板１の横溝１２ｆ、１２ｅ、１２ｄ及び係合溝１４ａに係合させたものである。
【００２４】
図１１の商品陳列台１０ｅによれば、商品陳列台１０ｃと同様の効果を奏する他、いわゆる箱型形状において、最大の陳列容積を確保することができる。
【図面の簡単な説明】
【００２５】
【図１】第１の実施の形態における商品陳列台の斜視図である。
【図２】図１の商品陳列台で使用する補助陳列台の斜視図である。
【図３】図２の補助陳列台を裏側から見た斜視図である。
【図４】図１の商品陳列台で使用するベース陳列板の斜視図である。
【図５】図４のベース陳列板を後方側から見た斜視図である。
【図６】第２の実施の形態における商品陳列台の斜視図である。
【図７】第３の実施の形態における商品陳列台の斜視図である。
【図８】図７の商品陳列台で使用する商品仕切り板の斜視図である。
【図９】図８の商品仕切り板を下側から見た斜視図である。
【図１０】図８の商品仕切り板の副仕切り板を引き出した状態図である。
【図１１】第４の実施の形態における商品陳列台の斜視図である。
【符号の説明】
【００２６】
１      ベース陳列板
２      補助陳列台
３      商品仕切り板
１０ａ〜１０ｅ    商品陳列台
１１    ベース陳列板の陳列面（上面）
１２    横溝
１３    商品転落防止板
１４ａ、１４ｂ    係合溝
２１    凹面形状の陳列面
２１ａ  前方板
２２    後方板
１２１  非貫通溝
１２２  貫通溝
２１１  前方係合片
２２１  後方係合片
２３１  中間係合片
【図１】
0003120901.tif 000003
【図２】
0003120901.tif 000004
【図３】
0003120901.tif 000005
【図４】
0003120901.tif 000006
【図５】
0003120901.tif 000007
【図６】
0003120901.tif 000008
【図７】
0003120901.tif 000009
【図８】
0003120901.tif 000010
【図９】
0003120901.tif 000011
【図１０】
0003120901.tif 000012
【図１１】
0003120901.tif 000013